(57)【要約】【課題】第１の杖の筒内に第２の杖を内蔵させ、必要に応じて第２の杖を取り出しツインステッキとして、歩行用の補助杖として使用しうるようにした杖を提供するものである。【解決手段】筒体の上部に握り部を有する２本杖であって、第１の杖２は大径パイプの筒体３と、下段の握り部４とからなり、第２の杖１２は小径パイプの筒体１３と、上段の握り部１４とからなり、２本杖を１本の杖として使用する場合には、第２の杖１２の筒体１３を第１の杖２の大径筒体３内に挿入し、第２の杖１２の握り部１４を第１の杖２の握り部４の上段にセットするようにして一体に収納させた杖１を構成するものである。【選択図】図１
2012075745.tif 000002
【特許請求の範囲】
【請求項１】
第１の杖は大径パイプの筒体と、第１の握り部とからなり、第２の杖は小径パイプの筒体と、第２の握り部とからなり、第２の杖の小径パイプの筒体を第１の杖の大径パイプの筒体内に収納し、第２の杖の第２握り部を第１の杖の第１握り部の上段にセットして一体に収納させることを特徴とする杖。
【請求項２】
前記第１の杖の太径パイプの筒体と前記第２の杖の小径パイプの筒体は、上方から下方に向かって若干のテーパーを設けて、前記小径パイプの筒体を前記太径パイプの筒体の内側に積層した請求項１記載の杖。
【発明の詳細な説明】
【技術分野】
【０００１】
本発明は杖に係り、更に詳しくは、１本の杖を、必要に応じて２本の杖として使用しうようにした杖に関するものである。
【背景技術】
【０００２】
杖は、通常１本からなっている。しかし、足腰が衰えたり、身体に故障を生じた人を対象にした歩行補助用の杖としては、左右両手で把持するようにしたツインステッキからなる２本杖が望れている。
【０００３】
１本の杖と２本の杖は、現在のところは別々に供給されている。しかし、１本の杖が、情況に応じて２本の杖としても兼用しうるものであれば好ましい（例えば、特許文献１）。
【特許文献１】特開２００３−７９４１４号公報
【０００４】
しかし、特許文献１に記載されたものは、２本の杖を段違いに結合して、１本の杖として使用しているものである。そのために、１本の杖として使用する際には、不恰好な形状のものとなっており、使用に適していない。一方、１本の杖を筒状にして、その筒内に細工をした杖も、開示されている（例えば、特許文献２）。    
【特許文献２】特開２００７−６８８１５号公報
【０００５】
しかし、特許文献２に記載されたものは、筒内に長さ調節用の機構を内蔵させたものであって、１本の筒内に２本目の杖を内蔵させてものではない。
【発明の開示】
【発明が解決しようとする課題】
【０００６】
上記の事情に鑑み、本発明は１本の筒内に２本目の杖を内蔵させ、必要に応じて２本目の杖を別体に取り出しツインステッキとして、歩行用の補助杖として使用しうるようにした杖を提供することを課題とするものである。
【課題を解決するための手段】
【０００７】
本発明は上記目的を達成するために、本発明は、筒体の上部に握り部を有する２本杖であって、第１の杖は大径パイプの筒体と、下段の握り部とからなり、第２の杖は小径パイプの筒体と、上段の握り部とからなり、第２の杖の小径パイプの筒体を第１の杖の太径パイプの筒体内に収納し、第２の杖の握り部を第１の杖の握り部の上段にセットして一体に収納させた杖を構成するものである。
【発明の効果】
【０００８】
本発明の杖は、第２の杖を第１の杖の筒体内に収納することができ、体裁が良く、１本の杖として使用する際には、第２の杖が邪魔になることはない。
【０００９】
本発明の杖は、２本の杖共、一体の握り部を有するので、使いやすいものとなっている。
【００１０】
本発明の杖は、筒体のパイプを、上から下に若干のテーパーを設けておけば、第２の杖が引抜きやすくすることができる。
【発明を実施するための最良の形態】
【００１１】
次に本発明の杖につき実施例をあげて詳しく説明する。
【実施例１】
【００１２】
図１は、本発明の一実施例を示す杖の、縦断面図である。図２は、同杖の大径パイプからなる第１の杖で、（イ）は側面図、（ロ）は平面図、（ハ）は（ロ）をＡ−Ａ面で切断した断面図である。図３は、同杖の小径パイプからなる内蔵する第２の杖で、（イ）は側面図、（ロ）は平面図、（ハ）は（ロ）をＢ−Ｂ面で切断した断面図である。
【００１３】
本発明の杖１は、第１の杖２と、第２の杖１２との２本の杖からなっており、実施例のものは、丈夫な繊維強化プラスティックス（ＦＲＰ）で製造されている。
なお、杖の材料はその他の合成樹脂やアルミ等の金属製であってもよい。
【００１４】
第１の杖２は、大径パイプの筒体３と、上部下段の握り部４とからなっており、筒体３と下段の握り部４とは嵌合又は接合されている。握り部４は後方に下方に傾斜した傾斜部４１を備え、手で握り部４を把持したとき、手が握り部４から滑脱しないようになっている。また、握り部４の中央前方部には握り部４の上方から下方に向かって大径パイプの筒体３を嵌合又は接合する連結部４２が設けられ、握り部４の中央前方部には握り部４の上方から貫通し、後記する小径パイプの筒体１３と握り部１４を嵌合する嵌合孔４３が設けられている。なお、筒体３の下端部には保護部材３１が被覆されている。
【００１５】
第２の杖１２は、小径パイプの筒体１３と上部上段の握り部１４とからなっており、筒体１３と上段の握り部１４とは嵌合又は接合されている。握り部１４は後方に下方に傾斜した傾斜部１４１を備え、手で握り部１４を把持したとき、手が握り部４から滑脱しないようになっている。また、握り部１４の中央前方部には握り部４の上方から下方に向かって大径パイプの筒体３を嵌合又は接合する連結部１４２が設けられ、小径パイプの筒体１３の上端部１３１が、握り部１４の上方から貫通する嵌合孔１４３に挿通されている。なお、傾斜部１４１の下面は握り部４の後方に下方に傾斜した傾斜部４１の上面と面接触するように傾斜している。なお、筒体１３の下端部には保護部材１３１が被覆されている。
【００１６】
第１の杖２の大径パイプの筒体３内に、小径パイプの筒体１３を収納しうるようになっている。また第２の杖１２の上部上段の握り部１４は、収納時に、下段の握り部４と一体にセットされる。ここで上段あるいは下段と称したのは、第２の杖１２の筒体１３が第１の杖２の筒体３内に収納された際、第２の杖１２の握り部１４が、第１の杖２の握り部４の上段にあって面一に一体化されるからである。
【００１７】
次に、本実施例のパイプの具体的な数値をあげる。大径パイプの筒体３は、外径φ１９ｍｍ、小径パイプの筒体１３は、外径φ１６ｍｍ、肉厚５ｍｍにしている。
【００１８】
そして両パイプの筒体は、上から下に若干のテーパーを設けておけば、第２の杖１２の小径パイプの筒体１３は第１の杖２の太径パイプの筒体３に嵌合積層され保管することができる。また、第１の杖２の大径パイプの筒体３から第２の杖１２の小径パイプの筒体１３を引抜きやすくなる。本実施例の具体的な数値をあげると、テーパーは４ｍｍ設けている。
【００１９】
第１の杖２の大径パイプの筒体の内径３と第２の杖１２の小径パイプの筒体１３の外径が同一であっても、両パイプの筒体は、上から下に若干のテーパーを設けてあるので、第２の杖１２の小径パイプの筒体１３は第１の杖２の大径パイプの筒体３に嵌合積層され保管することができ、第１の杖２の大径パイプの筒体３から第２の杖１２の小径パイプの筒体１３を引抜きやすい。また、第１の杖２の大径パイプの筒体３からの第２の杖１２の小径パイプの筒体１３の引抜き抵抗を考慮して、第１の杖２の大径パイプの筒体３の内面及び／または第２の杖１２の小径パイプの筒体１３の外面を熱硬化性樹脂でコーティングしたり、第１の杖２の大径パイプの筒体３及び／または第２の杖１２の小径パイプの筒体１３を熱硬化性樹脂で製作してもよい。更に、第１の杖２の大径パイプの筒体３の内径より第２の杖１２の小径パイプの筒体１３の外径を若干小さくしてもよい。
【００２０】
本発明の杖１は、第１の杖２内に第２の杖１２を収納させて、１本の杖として使用したり、第１の杖２の筒体３内から、第２の杖１２を取出して、左右２本のツインステッキとして、歩行用の補助杖で使用することもできる。
【産業上の利用可能性】
【００２１】
本発明の杖は、目的や用途によって、１又は２本杖として広く使用することができる。
【図面の簡単な説明】
【００２２】
【図１】本発明の一実施例を示す杖の縦断面図である。
【図２】同杖の太径パイプからなる第１の杖の第１握り部で、（イ）は側面図、（ロ）は平面図、（ハ）は（ロ）をＡ−Ａ面で切断した断面図である。
【図３】同杖の小径パイプからなる内蔵する第２の杖の第２握り部で、（イ）は側面図、（ロ）は平面図、（ハ）は（ロ）をＢ−Ｂ面で切断した断面図である。
【符号の説明】
【００２３】
１      杖
２      第１の杖
１２    第２の杖
３      第１の杖の筒体
１３    第２の杖の筒体
４      第１の杖の第１握り部
１４    第２の杖の第２握り部
【図１】
2012075745.tif 000003
【図２】
2012075745.tif 000004
【図３】
2012075745.tif 000005